(57)【要約】【課題】転送元の記録媒体から転送先の記録媒体に対してデータファイルをコピーする際に、同一のデータファイルを重複してコピーすることを防止し、データファイルに対して加工処理を行った場合であっても、元のデータファイルを確実に保護する。【解決手段】コード付与手段（例えばデジタルカメラの制御部）により、転送元の記録媒体（例えばメモリカード１０１）毎に異なる固有のコードをデータファイルに付与する。判別手段（例えば再生／管理装置６０１の制御部６０２）により、転送元の記録媒体に記録されたデータファイルを転送先の記録媒体（例えばハードディスクドライブ６０７）に転送する際に、両データファイルのタイムスタンプ、データサイズ、および固有のコードを比較して、両データファイルが同一であるか否かを判別する。【選択図】          図１
2004341630.tif 000002
【特許請求の範囲】
【請求項１】
転送元の記録媒体毎に異なる固有のコードをデータファイルに付与するコード付与手段と、
前記転送元の記録媒体に記録されたデータファイルを転送先の記録媒体にコピーする際に、前記転送元の記録媒体に記録されたデータファイルと前記転送先の記録媒体に記録されたデータファイルのタイムスタンプ、データサイズ、および前記固有のコードを比較することにより、両記録媒体に記録されたデータファイルが同一であるか否かを判別する判別手段と、
を備えたことを特徴とする記録媒体間のデータファイルコピー装置。
【請求項２】
前記コード付与手段は、前記転送元の記録媒体においてデータファイルを記録する際に、該データファイルに対して前記固有のコードを付与することを特徴とする請求項１に記載の記録媒体間のデータファイルコピー装置。
【請求項３】
前記コード付与手段は、前記転送先の記録媒体にデータファイルをコピーする際に、前記転送元の記録媒体から読み出したデータファイルに対して前記固有のコードを付与することを特徴とする請求項１に記載の記録媒体間のデータファイルコピー装置。
【請求項４】
前記判別手段において、前記転送元の記録媒体に記録されたデータファイルと前記転送先の記録媒体に記録されたデータファイルが同一であると判別された場合に、該同一のデータファイルのコピーを行わず、前記転送元の記録媒体に記録されたデータファイルと前記転送先の記録媒体に記録されたデータファイルが同一でないと判別された場合に、該非同一のデータファイルのコピーを行うことを特徴とする請求項１〜３のうちいずれか１項に記載の記録媒体間のデータファイルコピー装置。
【請求項５】
前記判別手段において、前記転送元の記録媒体に記録されたデータファイルと前記転送先の記録媒体に記録されたデータファイルが同一であると判別された場合に、該同一のデータファイルをコピーするか否かを確認する確認手段を備え、
該確認手段による確認結果に基づいて、該同一のデータファイルをコピーするか否かを決定することを特徴とする請求項１〜４のうちいずれか１項に記載の記録媒体間のファイルコピー装置。
【発明の詳細な説明】
【０００１】
【発明の属する技術分野】
本発明は、記録媒体間でデータファイルのコピーを行うデータファイルコピー装置に関し、例えば、デジタルカメラで撮影し、あるいはスキャナで取り込んだ画像データファイルを記録する１次記録媒体と、このような画像データファイルを大量に記録可能な２次記録媒体との間におけるデータファイルコピー装置に関する。
【０００２】
【従来の技術】
従来のデジタルカメラ（以下、デジカメと略称する場合がある）では、記録媒体としてカメラ本体に内蔵されたメモリやカメラ本体に対して着脱自在なメモリカードが用いられている。
【０００３】
着脱可能なメモリカードを記録媒体として使用する場合には、メモリカードを次々に取り替えて撮影し、画像データファイルを持ち運ぶことが可能である。同様に、スキャナ等の画像読取装置においても、読み取った画像データファイルをメモリカードに保管して持ち運ぶことができる。
【０００４】
ところで、デジタルカメラで撮影し、あるいはスキャナで読み込んだ画像データファイルの保管や編集を行う際には、大容量記録媒体（例えば、ＣＤ−Ｒ、ＤＶＤ−Ｒ、ハードディスクドライブ等）に画像データファイルをコピーして作業を行うことが一般的である。
【０００５】
しかしながら、ＳＤカード（Ｓｅｃｕｒｅ  Ｄｉｇｉｔａｌ  メモリカード）などの１次記録媒体と、画像データを大量に記録できるＣＤ−Ｒ、ＤＶＤ−Ｒ、ハードディスクドライブなどの保存用の２次記録媒体との間で画像データファイルのコピーを行うことができる従来のデータファイルコピー装置では、１次記録媒体から２次記録媒体に対して画像データファイルのコピーを行おうとした際に、既に２次記録媒体に同一の画像データファイルが存在するにもかかわらず、該同一の画像データファイルを２次記録媒体に重複して保管してしまう可能性があった。
【０００６】
また、撮影後の画像データファイルに対して画像編集等の処理を行った場合に、２次記録媒体に記録されている元の画像データファイルが上書きされて消去されてしまう可能性があった。
【０００７】
従来、このような不都合を回避するため、種々の技術が提案されている。例えば、撮影装置内に撮影毎にカウントアップするカウンタを設け、該カウンタ値に基づいてファイル名を生成することにより、同一の撮影装置を使用する限り、ファイル名を重複させないようにした技術が開示されている（例えば、特許文献１参照）。
【０００８】
また、１次記録媒体毎にユニークな識別情報を付与し、２次記録媒体にデータファイルをコピーする際に、２次記録媒体に１次記録媒体の識別情報に基づいてディレクトリを作成し、該ディレクトリ内にデータファイルをコピーすることにより、当該２次記録媒体におけるデータファイルの一意性を確保する技術が開示されている（例えば、特許文献２参照）。
【０００９】
また、デジタルカメラで画像データファイルを記録する際に、ファイル属性として画像データファイル毎に異なる固有ＩＤを記録し、１次記録媒体から２次記録媒体に画像データファイルをコピーする際に、固有ＩＤを比較することにより、画像データファイルの同一性を検出する技術が開示されている（例えば、特許文献３参照）。
【００１０】
【特許文献１】
特開平１０−１７７６４６号公報
【特許文献２】
特開２００１−１４４９２１号公報
【特許文献３】
特開平１１−２３４６１５号公報
【００１１】
【発明が解決しようとする課題】
しかしながら、上記特許文献１記載の技術では、同一の撮影装置で生成した画像データファイルの範囲内においてデータファイルの同一性を管理しているため、複数の撮影装置で生成した画像データファイルを管理しようとすると、ファイル名のみではデータファイルの一意性を確保することができない。
【００１２】
具体的に説明すると、図１０に示すように、デジカメＡにおいて、カウンタ値が「１」である画像データファイルに対して「ＸＸＸ００００１．ＪＰＧ」というファイル名を付与し、カウンタ値が「２」である画像データファイルに対して「ＸＸＸ００００２．ＪＰＧ」というファイル名を付与するというように、カウンタ値に応じてファイル名を付与した場合に、デジカメＢにおいても、同様にカウンタ値が「１」である画像データファイルに対して「ＸＸＸ００００１．ＪＰＧ」というファイル名が付与されてしまう。
【００１３】
したがって、デジカメＡにおいてカウンタ値「１」に対応するファイル名と、デジカメＢにおいてカウンタ値「１」に対応するファイル名とが、ともに「ＸＸＸ００００１．ＪＰＧ」になってしまい、両者を区別することができなかった。
【００１４】
また、上記特許文献２記載の技術では、画像データファイルを保存する管理ディレクトリ内において画像データファイルの一意性を管理しているため、画像データファイルの管理を行うには管理ディレクトリ名を意識しなければならない。
【００１５】
具体的に説明すると、図１１に示すように、２次記録媒体内に、ディレクトリＡ、ディレクトリＢ、ディレクトリＣ、・・・という複数の管理ディレクトリを設け、各管理ディレクトリ毎にファイル管理を行うと、ディレクトリＡ内には、「ＸＸＸ００００１．ＪＰＧ」、「ＸＸＸ００００２．ＪＰＧ」、・・・というデータファイルが作成され、ディレクトリＢ内にも、「ＸＸＸ００００１．ＪＰＧ」、「ＸＸＸ００００２．ＪＰＧ」、・・・というデータファイルが作成される場合がある。
【００１６】
この場合には、「ＸＸＸ００００１．ＪＰＧ」、「ＸＸＸ００００２．ＪＰＧ」、・・・という同一のファイル名の画像データファイルが、ディレクトリＡおよびディレクトリＢの双方に存在することになり、画像データファイルを管理する際には、管理ディレクトリ名を含めた管理を行う必要がある。
【００１７】
また、上記特許文献３記載の技術では、画像データファイルを記録する際（撮影時）に、ファイル属性として画像データファイル毎に異なる固有ＩＤを記録するため、撮影装置側で固有ＩＤを記録するための対応がなされていることが前提となっており、固有ＩＤを記録することができない撮影装置で記録した画像データファイルに対して適用することができない。
【００１８】
具体的に説明すると、図１２に示すように、固有番号Ａという固有ＩＤを記録することができるデジカメで撮影した画像データファイルでは、「ＸＸＸ００００１．ＪＰＧ」という画像データファイルに対して固有番号Ａ−１が付与され、「ＸＸＸ００００２．ＪＰＧ」というファイルに対して固有番号Ａ−２が付与される。これに対して、固有ＩＤを記録することができないデジカメで撮影した画像データファイルでは、固有ＩＤが付与されないため、画像ファイル名は、「ＸＸＸ００００１．ＪＰＧ」、「ＸＸＸ００００２．ＪＰＧ」となり、固有番号に基づいて画像データファイルを管理することはできない。
【００１９】
本発明は、上述した事情に鑑み提案されたもので、１次記録媒体から２次記録媒体に対してデータファイルをコピーする際に、同一のデータファイルを重複してコピーすることを防止し、また、データファイルに対して加工処理を行った場合であっても、元のデータファイルを確実に保護することが可能な記録媒体間のデータファイルコピー装置を提供することを目的とする。
【００２０】
【課題を解決するための手段】
本発明に係る記録媒体間のデータファイルコピー装置は、上述した目的を達成するため、以下の特徴点を備えている。
【００２１】
すなわち、本発明に係る記録媒体間のデータファイルコピー装置は、転送元の記録媒体毎に異なる固有のコードをデータファイルに付与するコード付与手段と、
前記転送元の記録媒体に記録されたデータファイルを転送先の記録媒体にコピーする際に、前記転送元の記録媒体に記録されたデータファイルと前記転送先の記録媒体に記録されたデータファイルのタイムスタンプ、データサイズ、および前記固有のコードを比較することにより、両記録媒体に記録されたデータファイルが同一であるか否かを判別する判別手段とを備えたことを特徴とするものである。
【００２２】
このような構成からなる記録媒体間のデータファイルコピー装置では、コード付与手段により、データファイルに対して転送元の記録媒体毎に固有のコードが付与される。そして、転送元の記録媒体（例えば、デジタルカメラのメモリカード等）から転送先の記録媒体（例えば、ＣＤ−Ｒ、ＤＶＤ、ハードディスクドライブ等）にデータファイルをコピーする際に、判別手段により、データファイルのタイムスタンプ、データサイズに加えて固有のコードが比較されて、両記録媒体に記録されたデータファイルの同一性が判別される。このため、データファイルの同一性を確実かつ容易に判別することができる。
【００２３】
また、前記コード付与手段は、前記転送元の記録媒体においてデータファイルを記録する際に、該データファイルに対して前記固有のコードを付与するように構成することが可能である。
【００２４】
このような構成からなる記録媒体間のデータファイルコピー装置では、例えば、画像データファイルに対して固有のコードを付与可能なデジタルカメラで撮影を行い、メモリカードに画像データファイルを記録する際に固有のコードが付与される。このため、転送元の機器において、データファイルに対して固有のコードを付与する機能を有していれば、データファイルの同一性を確実かつ容易に判別することができる。
【００２５】
また、前記コード付与手段は、前記転送先の記録媒体にデータファイルをコピーする際に、前記転送元の記録媒体から読み出したデータファイルに対して前記固有のコードを付与するように構成することが可能である。
【００２６】
このような構成からなる記録媒体間のデータファイルコピー装置では、例えば、画像データファイルに対して固有のコードを付与する機能を有しないデジタルカメラであっても、メモリカードに記録された画像データファイルをハードディスクドライブ等にコピーする際に、当該画像データファイルに対して固有のコードが付与される。このため、転送元の機器において、データファイルに対して固有のコードを付与する機能を有しない場合であっても、データファイルの同一性を確実かつ容易に判別することができる。
【００２７】
また、前記判別手段において、前記転送元の記録媒体に記録されたデータファイルと前記転送先の記録媒体に記録されたデータファイルが同一であると判別された場合に、該同一のデータファイルのコピーを行わず、前記転送元の記録媒体に記録されたデータファイルと前記転送先の記録媒体に記録されたデータファイルが同一でないと判別された場合に、該非同一のデータファイルのコピーを行うように構成することが可能である。
【００２８】
このような構成からなる記録媒体間のデータファイルコピー装置では、例えば、デジタルカメラで撮影を行ってメモリカードに記録された画像データファイルを、ハードディスクドライブ等にコピーする際に、同一の画像データファイルを重複してコピーすることがない。このため、データファイルの管理を容易に行うことができるとともに、転送先の記録媒体の記録領域を有効に利用することができる。
【００２９】
また、前記判別手段において、前記転送元の記録媒体に記録されたデータファイルと前記転送先の記録媒体に記録されたデータファイルが同一であると判別された場合に、該同一のデータファイルをコピーするか否かを確認する確認手段を備え、
該確認手段による確認結果に基づいて、該同一のデータファイルをコピーするか否かを決定するように構成することが可能である。
【００３０】
このような構成からなる記録媒体間のデータファイルコピー装置では、例えば、デジタルカメラで撮影を行ってメモリカードに記録された画像データファイルを、ハードディスクドライブ等にコピーする際に、両記録媒体に同一のファイル名を有する画像データファイルが存在すると、確認手段により、画像データファイルのコピーを行うか否かを確認し、当該画像データファイルを上書きコピーするか、コピーを中止するか、あるいはファイル名を変更してコピーするかを選択することができる。このため、同一のデータファイルを重複してコピーすることがなく、データファイルの管理を容易に行うことができるとともに、ユーザの意図に反して貴重なデータファイルを上書きコピーしてしまうという不都合を解消することができる。
【００３１】
【発明の実施の形態】
以下、図面を参照して、本発明に係る記録媒体間のデータファイルコピー装置の実施形態を説明する。
【００３２】
図１は、本発明の実施形態に係る記録媒体間のデータファイルコピー装置に使用する転送元の記録媒体（以下、１次記録媒体と称する）の構成を示す模式図である。
【００３３】
本発明の実施形態に係る記録媒体間のデータファイルコピー装置に使用する１次記録媒体は、例えば、画像データファイル等を記録可能なメモリカードからなる。
【００３４】
このメモリカード１０１は、図１に示すように、書き換え不可領域１０１Ａと、書き換え可能領域１０１Ｂを有している。書き換え不可領域１０１Ａには、ユニークな固有ＩＤ（例えば、「１２３ＡＢＣ」）および記録容量・転送速度等の属性情報が記録されており、書き換え可能領域１０１Ｂには、管理情報およびこの管理情報によって管理されている画像データファイルなどが記録されている。
【００３５】
画像データファイルの内容については、後に詳述する。なお、図１に示す例では、書き換え可能領域１０１Ｂに記録されるデータは、画像データファイルとなっているが、音楽データファイル等、他のデータファイルを記録することもできる。
【００３６】
メモリカード１０１は、デジタルカメラ等の機器に装着して、画像データファイル等を記録することができる。
【００３７】
次に、本発明の実施形態に係る記録媒体間のデータファイルコピー装置において、１次記録媒体にデータファイルを記録するための装置について説明する。なお、以下の説明では、１次記録媒体にデータファイルを記録するための装置として、デジタルカメラを例にとって説明を行うが、１次記録媒体にデータファイルを記録するための装置はこれに限られず、スキャナ等の他の装置であってもよい。
【００３８】
図２は、デジタルカメラの概略構成を示すブロック図である。
【００３９】
デジタルカメラ２０１は、図２に示すように、制御部２０２、撮影部２０３、入力部２０４、カードスロット２０５、および撮影スイッチ２０６を備えている。
【００４０】
制御部２０２は、撮影スイッチ２０６が操作された際に処理を行うほか、図示しないが、撮影モード、再生モード等を選択するモードダイヤル、マルチファンクションの十字キー、電源スイッチ、撮影スイッチ等の操作を入力部から受け付けて、各入力に応じた処理を行う。
【００４１】
撮影モードが選択され、撮影スイッチ２０６が操作されると、制御部２０２はこれを検知し、測光値、測距値に基づくフォーカス制御および露出制御を行い、撮影部２０３にて撮影した画像をデータに変換・圧縮して画像データファイルとし、この画像データファイルをカードスロット２０５に装着されたメモリカード１０１に記録する。すなわち、撮影時に得られた画像データは、画像データファイルとしてメモリカード１０１の書き換え可能領域１０１Ｂに記録される。
【００４２】
次に、メモリカード１０１における画像データファイルの構成を説明する。図３は、メモリカードにおける画像データファイルの構成を示す模式図である。
【００４３】
図３に示すように、上記デジタルカメラ２０１では、メモリカード１０１に対して、例えば、１００個の画像データファイルを記録することができるようになっている。各画像データファイルには、識別情報と、ＪＰＥＧ規格に準拠して圧縮された画像データが記録されている。この識別情報には、少なくとも、メモリカードの固有ＩＤ、撮影の時間（タイムスタンプ）、データサイズが含まれている。なお、図３は、メモリカード１０１に記録できる画像データファイルの一例を示すものであり、記録できるファイル数やファイル形式などを限定するものではない。
【００４４】
次に、図４を参照して、デジタルカメラ２０１における画像記録動作について説明する。図４は、デジタルカメラにおける画像記録動作の手順を示すフローチャートである。
【００４５】
デジタルカメラ２０１において画像記録を行うには、まず、メモリカード１０１がデジタルカメラ２０１のカードスロット２０５に装着されているか否かを判別し（Ｓ４０１）、メモリカード１０１が正常に装着されている場合には、デジタルカメラ２０１が撮影可能状態（待機状態）となる（Ｓ４０２）。
【００４６】
そして、撮影スイッチ２０６が操作（ＯＮ）されると（Ｓ４０３）、制御部２０２がメモリカード１０１から固有ＩＤを読み出し、タイムスタンプ、データサイズとともに識別情報を作成し（Ｓ４０４）、撮影したコマの画像データとともにメモリカード１０１に記録する（Ｓ４０５）。
【００４７】
ここで、画像データファイル名は、例えば、「ＸＸＸＸ００００１．ＪＰＧ〜ＸＸＸＸ９９９９９．ＪＰＧ」のうちの最新の番号を付すようにするが、ファイル作成時に、当該メモリカード１０１内で固有なファイル名であれば、特にファイル名作成方法について限定するものではない。
【００４８】
本実施形態では、記録媒体（メモリカード１０１）毎に、固有ＩＤとともに、タイムスタンプ、データサイズを識別情報として付与し、識別情報に基づいてデータファイルの一意性を確保している。したがって、図１０に示す従来の技術のように、複数のデジタルカメラで撮影した画像データファイルのファイル名が重複し、一意性が確保できなくなるという不都合が生じない。
【００４９】
ここで、デジタルカメラが固有ＩＤの読み込みおよび書き込みに対応していない場合には、固有ＩＤを読み込まずに識別情報を作成することになる。図５を参照して、識別情報作成処理の詳細を説明する。図５は、識別情報作成処理（図４に示すＳ４０４）の詳細を示すフローチャートである。
【００５０】
識別情報作成処理では、固有ＩＤを読み込めるか否か（Ｓ５０１）により、識別情報の作成手順が異なる。すなわち、デジタルカメラ２０１が固有ＩＤを読み込める場合には、メモリカード１０１に固有ＩＤを読み込み（Ｓ５０２）、固有ＩＤを含んだ識別情報を作成する（Ｓ５０３）。一方、デジタルカメラ２０１が固有ＩＤを読み込めない場合は、固有ＩＤが含まれていない識別情報を作成する（Ｓ５０４）。
【００５１】
次に、デジタルカメラ２０１で撮影し、画像データファイルを記録しているメモリカード１０１を１次記録媒体として扱うことができ、かつ２次記録媒体としてハードディスクドライブを備えている管理／再生装置について説明する。
【００５２】
なお、この管理／再生装置と、固有ＩＤの付与手段（例えば、デジタルカメラ２０１における制御部２０２）とにより、本発明の実施形態に係る記録媒体間のデータファイルコピー装置が構成される。
【００５３】
図６は、本発明の実施形態に係る記録媒体間のデータファイルコピー装置の一構成要素である再生／管理装置の概略構成を示すブロック図である。なお、図６に示す例では、２つの記録媒体を扱うことができる再生／管理装置を示しているが、扱うことができる記録媒体の数は２つに限定されず、記録媒体間においてデータファイルをコピーすることできる記録媒体であれば、３つ以上の記録媒体を扱えるように構成してもよい。
【００５４】
再生／管理装置６０１は、図６に示すように、制御部６０２、主メモリ６０３、入力部６０４、出力部６０５、ＰＣカードスロット６０６、およびハードディスクドライブ６０７を備えている。
【００５５】
この再生／管理装置６０１は、メモリカード１０１をＰＣカード６０９に装着し、さらにＰＣカード６０９をＰＣカードスロット６０６に装着することにより、メモリカード１０１を１次記録媒体として扱うことができる。また、画像データファイルを大量に記録することができるハードディスクドライブ６０７が二次記録媒体となる。そして、メモリカード１０１とハードディスクドライブ６０７の間で、データファイルのコピーを行うことができる。さらに、メモリカード１０１およびハードディスクドライブ６０７に記録されているデータファイルの再生を行うこともできる。
【００５６】
なお、１次記録媒体を扱う上でのカードスロットは、ＰＣカードスロット６０６に限定されず、他のリムーバブル記録媒体のカードスロットであっても構わない。また、カードスロットを介さずに、他のリムーバブル記録媒体、あるいは固定記録媒体を接続しても構わない。
【００５７】
また、１次記録媒体または２次記録媒体として、ＣＤ−ＲＷ、ＤＶＤ−ＲＡＭ、ＤＶＤ−ＲＷ、ＤＶＤ＋ＲＷ等のディスク形状のリムーバブル記録媒体や、フラッシュメモリ、コンパクトフラッシュ（登録商標）、スマートメディア、メモリースティック、ＳＤカード等のリムーバブル記録媒体を用いてもよい。
【００５８】
ハードディスクドライブ６０７は、多数の画像データファイルが格納可能な記録容量を有しており、また、主メモリ６０３には、再生／管理装置６０１の起動や動作に必要なソフトウェアなどが格納されている。
【００５９】
制御部６０２は、入力部６０４においてリモコンなどからの入力操作に基づいて、必要な処理を行う。
【００６０】
また、出力部６０５は、ハードディスクドライブ６０７やメモリカード１０１に格納されている画像データファイルなどを、制御部６０２における処理によりモニタ６０８に表示する。
【００６１】
次に、作成された画像データファイルを記録したメモリカード１０１から、再生／管理装置６０１のハードディスクドライブ６０７に対して画像データファイルをコピーする際の動作を説明する。図７は、メモリカードからハードディスクドライブに対して画像データファイルをコピーする際の動作手順を示すフローチャートである。
【００６２】
メモリカード１０１からハードディスクドライブ６０７に対して画像データファイルをコピーするには、図７に示すように、まず、制御部６０２により、メモリカード１０１を装着したＰＣカード６０９がＰＣカードスロット６０６に装着されているか否かを判別する（Ｓ７０１）。
【００６３】
ここで、ＰＣカード６０９がＰＣカードスロット６０６に装着されている場合には、自動的に、あるいはユーザがリモコン操作を行う等して、メモリカード１０１に記録された情報を読み込むとともに、メモリカード１０１に格納されている画像データファイルをコピーするか否かを選択させるための画面をモニタに表示する。そして、ユーザがモニタに表示される案内に従ってリモコン操作を行うことにより、コピーを行うか否かを決定する（Ｓ７０２）。
【００６４】
ここで、コピーを行わない場合には、処理を終了する。一方、コピーを行う場合には、制御部６０２により、メモリカード１０１の書き替え可能領域１０１Ｂから画像データファイルを読み込む（Ｓ７０３）。そして、画像データファイルを読み込むと、当該画像データファイルの識別情報に固有ＩＤが含まれているか否かを確認する（Ｓ７０５）。
【００６５】
ここで、固有ＩＤが含まれていない場合には、メモリカード１０１の固有ＩＤを読み込み、当該固有ＩＤを識別情報に付加した画像データファイルを作成する（Ｓ７０７）。このような処理を行うことにより、図１２に示す従来の技術のように、画像データファイルに対して固有ＩＤを付与することができないデジタルカメラで撮影した画像データファイルに対しても、データ再生／管理装置６０１において固有ＩＤを識別情報として付加された画像データファイルを保管することができるので、同一の画像データファイルを不用意に上書きしてしまう等の不都合を解消することができる。
【００６６】
一方、画像データファイルに固有ＩＤが含まれている場合には、コピー先のハードディスクドライブ６０７を検索して、記録されている画像データファイルを１つ読み込み（Ｓ７０６）、コピー元である画像データファイルの識別情報と比較する（Ｓ７０８）。ここで、コピー元とコピー先の画像データファイルの識別情報が同一のものであれば、同一の画像データファイルであると判断して、コピー処理をスキップする（Ｓ７１０）。
【００６７】
一方、コピー元とコピー先の画像データファイルの識別情報が同一ではなく、異なる画像データファイルであると判断した場合には、ハードディスクドライブ６０７に記録された全画像データファイルに対して、上記と同様の処理を行う。
【００６８】
そして、ハードディスクドライブ６０７中に検索すべき画像データファイルがなくなると、コピーすべき画像データファイルをハードディスクドライブ６０７にコピーする（Ｓ７１１）。
【００６９】
このようにして１つの画像データファイルのコピーが行われると、メモリカード１０１にコピー対象となる画像データファイルが残っているか否かを判断し（Ｓ７１２）、コピー対象となる画像データファイルが残っている場合には、次の画像データファイルを読み込み（Ｓ７０３）、メモリカード１０１にコピーすべく画像データファイルが存在しなくなるまで、上記と同様の処理を繰り返す。
【００７０】
なお、図７に示す処理では、ステップ７１０（Ｓ７１０）において、ハードディスクドライブ６０７にコピー元と同一の画像データファイルが存在する場合にはコピー処理をスキップするようにしたが、コピー処理をスキップせずに、画像データファイルを上書きし、あるいはファイル名を変更して画像データファイルを保存してもよい。
【００７１】
この場合の処理を、図８に示すフローチャートを参照して説明する。図８は、メモリカードからハードディスクドライブに対して画像データファイルをコピーする際の動作手順を示すフローチャートである。
【００７２】
図８に示す処理は、図７に示す処理と比較して、コピー元とコピー先に同一の識別情報を有する画像データファイルが存在する場合の処理が異なり、その他の処理は同様となっている。
【００７３】
すなわち、図８に示す処理において、ステップ８０１（Ｓ８０１）〜ステップ８０７（Ｓ８０７）の処理は、図７に示すステップ７０１（Ｓ７０１）〜ステップ８０７（Ｓ８０７）の処理と同様である。
【００７４】
図８に示す処理では、メモリカード１０１から読み込んだ画像データファイルとハードディスクドライブ６０７から読み込んだ画像データファイルの識別情報とを比較し（Ｓ８０８）、コピー元とコピー先の画像データファイルの識別情報が同一のものであれば、モニタ等を用いてユーザに対して同一の画像データファイルが存在する旨を提示し、画像データファイルを上書きするか、ファイル名を変更して保存するか、あるいはコピー処理を行わないかを選択させる（Ｓ８１０）。
【００７５】
そして、画像データファイルを上書きし、あるいはファイル名を変更して保存する場合には、コピーすべき画像データファイルを、同一ファイル名で、あるいは異なるファイル名に変更して、ハードディスクドライブ６０７にコピーする（Ｓ８１１）。一方、画像データの上書き、あるいはファイル名変更を行わない場合には、コピー処理をスキップする。
【００７６】
その後、図７に示すステップ７０９（Ｓ７０９）、ステップＳ７１１（Ｓ７１１）、およびステップ７１２（Ｓ７１２）と同様に、ステップ８０９（Ｓ８０９）、ステップＳ８１１（Ｓ８１１）、およびステップ８１２（Ｓ８１２）の処理を行う。
【００７７】
また、図７に示す処理では、ステップ７０２（Ｓ７０２）において、コピーを実行するか否かをユーザに決定させていたが、ユーザの介入を行わずに自動的にコピーを実行するようにしてもよい。
【００７８】
この場合の処理を、図９に示すフローチャートを参照して説明する。図９は、メモリカードからハードディスクドライブに対して画像データファイルをコピーする際の動作手順を示すフローチャートである。
【００７９】
図９に示す処理は、図７に示す処理と比較して、コピーを実行するか否かをユーザに判断させる処理が省略されており、その他の処理は同様となっている。
【００８０】
すなわち、図９に示す処理において、ＰＣカード６０９がＰＣカードスロット６０６に装着されている場合には、ユーザの判断を経ることなく、制御部６０２により、メモリカード１０１の書き替え可能領域１０１Ｂから画像データファイルを読み込む（Ｓ９０２）。
【００８１】
その後、図７に示すステップ７０４（Ｓ７０４）〜ステップＳ７１２（Ｓ７１２）と同様に、ステップ９０３（Ｓ９０３）〜ステップＳ９１１（Ｓ９１１）の処理を行う。
【００８２】
また、図７〜図９に示す処理では、ハードディスクドライブ６０７に記録された全ての画像データファイルを検索しているが、画像データファイルの検索方法は特に限定されるものではなく、特定ディレクトリ内のみを検索してもよいし、特定拡張子を有する画像データファイルのみを検索してもよい。
【００８３】
このように、本実施形態では、画像データファイル毎に付与された識別情報を参照して、コピー時における重複や上書きを制御している。したがって、図１１に示す従来の技術のように、ディレクトリＡとディレクトリＢに記録された画像データファイルのファイル名が重複した場合等に、ディレクトリ単位でしか一意性を保つことができないという不都合はなく、常に画像データファイルの一意性を保つことができる。
【００８４】
【発明の効果】
以上説明したように、本発明に係る記録媒体間のデータファイルコピー装置によれば、転送元の記録媒体から転送先の記録媒体にデータファイルをコピーする際に、転送先の記録媒体において既に記録されている同一のデータファイルを重複して記録することがないので、コピー時間が短縮され、また転送先の記録媒体における記録領域の有効利用を図ることができ、さらにユーザの意図に反して必要なデータファイルが上書きされるという不都合を解消することができる。
【００８５】
また、同一のデータファイルを容易に検出することができるので、従来のように、ユーザがデータプレビュー等を行って所望のデータファイルを検索する必要がなく、データファイルをコピーする際の手間を省くことができる。
【図面の簡単な説明】
【図１】本発明の実施形態に係る記録媒体間のデータファイルコピー装置に使用する１次記録媒体の構成を示す模式図である。
【図２】デジタルカメラの概略構成を示すブロック図である。
【図３】メモリカードにおける画像データファイルの構成を示す模式図である。
【図４】デジタルカメラにおける画像記録動作の手順を示すフローチャートである。
【図５】デジタルカメラにおける識別情報作成処理の詳細を示すフローチャートである。
【図６】本発明の実施形態に係る記録媒体間のデータファイルコピー装置の一構成要素である再生／管理装置の概略構成を示すブロック図である。
【図７】メモリカードからハードディスクドライブに対して画像データファイルをコピーする際の動作手順を示すフローチャートである。
【図８】メモリカードからハードディスクドライブに対して画像データファイルをコピーする際の動作手順を示すフローチャートである。
【図９】メモリカードからハードディスクドライブに対して画像データファイルをコピーする際の動作手順を示すフローチャートである。
【図１０】従来のデータファイルコピー方法を示す模式図である。
【図１１】従来のデータファイルコピー方法を示す模式図である。
【図１２】従来のデータファイルコピー方法を示す模式図である。
【符号の説明】
１０１  メモリカード
１０１Ａ  書き換え不可領域
１０１Ｂ  書き換え可能領域
２０１  デジタルカメラ
２０２  制御部
２０３  撮影部
２０４  入力部
２０５  カードスロット
２０６  撮影スイッチ
６０１  再生／管理装置
６０２  制御部
６０３  主メモリ
６０４  入力部
６０５  出力部
６０６  ＰＣカードスロット
６０７  ハードディスクドライブ
６０８  モニタ
６０９  ＰＣカード
【図１】
2004341630.tif 000003
【図２】
2004341630.tif 000004
【図３】
2004341630.tif 000005
【図４】
2004341630.tif 000006
【図５】
2004341630.tif 000007
【図６】
2004341630.tif 000008
【図７】
2004341630.tif 000009
【図８】
2004341630.tif 000010
【図９】
2004341630.tif 000011
【図１０】
2004341630.tif 000012
【図１１】
2004341630.tif 000013
【図１２】
2004341630.tif 000014